【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
選択信号、制御信号、表示情報を含む表示信号および検知信号を供給され、前記検知信号に基づく電位または前記表示信号に基づく電流を供給することができる入出力回路と、
高電源電位を供給され、前記高電源電位に基づく電位および前記検知信号に基づいて、検知情報を供給することができる変換回路と、
前記検知信号を供給することができる検知素子と、
前記電流を供給される表示素子と、を有し、
前記入出力回路は、
ゲートが前記選択信号を供給することができる第１の制御線と電気的に接続され、第１の電極が前記表示信号を供給することができる信号線と電気的に接続される第１のトランジスタと、
ゲートが前記制御信号を供給することができる第２の制御線と電気的に接続され、第１の電極が第１の配線と電気的に接続される第２のトランジスタと、
ゲートが前記第１のトランジスタの第２の電極と電気的に接続され、第１の電極が第２の配線と電気的に接続され、第２の電極が前記第２のトランジスタの第２の電極と電気的に接続される駆動トランジスタと、を備え、
前記変換回路は、
ゲートが高電源電位を供給することができる第５の配線と電気的に接続され、第１の電極が高電源電位を供給することができる第６の配線と電気的に接続され、第２の電極が前記第２の配線と電気的に接続されるトランジスタと、
前記第２の配線と電気的に接続され且つ前記検知情報を供給することができる端子と、を備え、
前記検知素子は、第１の電極が前記第１のトランジスタの第２の電極と電気的に接続され、第２の電極が前記第２のトランジスタの第２の電極と電気的に接続され、
前記表示素子は、第１の電極が前記駆動トランジスタの第２の電極と電気的に接続され、第２の電極が第３の配線と電気的に接続される、入出力装置。
【請求項２】
選択信号、第１の制御信号乃至第３の制御信号、表示情報を含む表示信号および検知信号を供給され、前記検知信号に基づく電位または前記表示信号に基づく電流を供給することができる入出力回路と、
高電源電位を供給され、前記高電源電位に基づく電位および前記検知信号に基づいて、検知情報を供給することができる変換回路と、
前記検知信号を供給することができる検知素子と、
前記電流を供給される表示素子と、を有し、
前記入出力回路は、
ゲートが前記選択信号を供給することができる第１の制御線と電気的に接続され、第１の電極が前記表示信号を供給することができる信号線と電気的に接続される第１のトランジスタと、
ゲートが前記第１の制御信号を供給することができる第２の制御線と電気的に接続され、第１の電極が第１の配線と電気的に接続される第２のトランジスタと、
ゲートが前記第２の制御信号を供給することができる第３の制御線と電気的に接続され、第１の電極が前記第２のトランジスタの第２の電極と電気的に接続される第３のトランジスタと、
ゲートが前記第３の制御信号を供給することができる第４の制御線と電気的に接続され、第１の電極が前記第１のトランジスタの第２の電極と電気的に接続される第４のトランジスタと、
ゲートが前記選択信号を供給することができる第１の制御線と電気的に接続され、第１の電極が前記第４のトランジスタの第２の電極と電気的に接続され、第２の電極が第４の配線と電気的に接続される第５のトランジスタと、
ゲートが前記第４のトランジスタの第２の電極と電気的に接続され、第１の電極が第２の配線と電気的に接続され、第２の電極が前記第２のトランジスタの第２の電極と電気的に接続される駆動トランジスタと、を備え、
前記変換回路は、
ゲートが高電源電位を供給することができる第５の配線と電気的に接続され、第１の電極が高電源電位を供給することができる第６の配線と電気的に接続され、第２の電極が前記第２の配線と電気的に接続されるトランジスタと、前記第２の配線と電気的に接続され且つ前記検知情報を供給することができる端子と、を備え、
前記検知素子は、第１の電極が前記第１のトランジスタの第２の電極と電気的に接続され、第２の電極が前記第２のトランジスタの第２の電極と電気的に接続され、
前記表示素子は、第１の電極が前記第３のトランジスタの第２の電極と電気的に接続され、第２の電極が第３の配線と電気的に接続される、入出力装置。
【請求項３】
前記検知素子が、静電容量の変化に基づいて変化する電流を含む検知信号を供給する、請求項１または請求項２に記載の入出力装置。
【請求項４】
前記表示素子が、前記第１の電極と、前記第１の電極に重なる前記第２の電極と、前記第１の電極ならびに前記第２の電極の間に発光性の有機化合物を含む層を備える請求項１乃至請求項３のいずれか一に記載の入出力装置。
【請求項５】
前記第１のトランジスタを導通状態にすることができる前記選択信号、前記第２のトランジスタを導通状態にすることができる前記制御信号および基準電位の前記表示信号を供給する第１のステップと、
前記第１のトランジスタを非導通状態にすることができる前記選択信号および前記第２のトランジスタを導通状態にすることができる前記制御信号ならびに前記検知素子が供給する前記検知信号に基づいて前記駆動トランジスタが前記電流を供給するように前記高電源電位に基づく電位を供給し且つ前記変換回路が前記検知信号に基づいて前記検知情報を供給する第２のステップと、
前記第１のトランジスタを導通状態にすることができる前記選択信号、前記第２のトランジスタを非導通状態にすることができる前記制御信号および前記表示情報に基づく電位の前記表示信号を供給する第３のステップと、
前記第１のトランジスタを非導通状態にすることができる前記選択信号および前記第２のトランジスタを非導通状態にすることができる前記制御信号ならびに前記第３のステップで供給された前記表示信号に基づいて前記駆動トランジスタが前記電流を供給するように前記高電源電位に基づく電位を供給する第４のステップと、を有する、請求項１に記載の入出力装置の駆動方法。
【請求項６】
前記第１のトランジスタおよび第５のトランジスタを非導通状態にすることができる前記選択信号、前記第２のトランジスタを非導通状態にすることができる前記第１の制御信号、前記第３のトランジスタを導通状態にすることができる前記第２の制御信号および前記第４のトランジスタを非導通状態にすることができる前記第３の制御信号を供給する第１のステップと、
前記第１のトランジスタおよび第５のトランジスタを導通状態にすることができる前記選択信号、前記第２のトランジスタを非導通状態にすることができる前記第１の制御信号、前記第３のトランジスタを非導通状態にすることができる前記第２の制御信号、前記第４のトランジスタを非導通状態にすることができる前記第３の制御信号および基準電位の前記表示信号を供給する第２のステップと、
前記第１のトランジスタおよび第５のトランジスタを非導通状態にすることができる前記選択信号、前記第２のトランジスタを導通状態にすることができる前記第１の制御信号、前記第３のトランジスタを非導通状態にすることができる前記第２の制御信号および前記第４のトランジスタを導通状態にすることができる前記第３の制御信号ならびに前記検知素子に供給される前記検知信号に基づいて前記駆動トランジスタが前記電流を供給するように前記高電源電位に基づく電位を第２の配線に供給し且つ前記変換回路が前記検知信号に基づいて前記検知情報を供給する第３のステップと、
前記第１のトランジスタおよび第５のトランジスタを非導通状態にすることができる前記選択信号、前記第２のトランジスタを非導通状態にすることができる前記第１の制御信号、前記第３のトランジスタを導通状態にすることができる前記第２の制御信号および前記第４のトランジスタを非導通状態にすることができる前記第３の制御信号を供給する第４のステップと、
前記第１のトランジスタおよび第５のトランジスタを導通状態にすることができる前記選択信号、前記第２のトランジスタを非導通状態にすることができる前記第１の制御信号、前記第３のトランジスタを非導通状態にすることができる前記第２の制御信号、前記第４のトランジスタを非導通状態にすることができる前記第３の制御信号および前記表示情報に基づく前記表示信号を供給する第５のステップと、
前記第１のトランジスタおよび第５のトランジスタを非導通状態にすることができる前記選択信号、前記第２のトランジスタを非導通状態にすることができる前記第１の制御信号、前記第３のトランジスタを導通状態にすることができる前記第２の制御信号、前記第４のトランジスタを導通状態にすることができる前記第３の制御信号ならびに前記第５のステップで供給された前記表示信号に基づいて前記駆動トランジスタが前記電流を供給するように前記高電源電位を第２の配線に供給する第６のステップと、を有する、請求項２に記載の入出力装置の駆動方法。
【請求項７】
マトリクス状に配設される複数の画素と、
行方向に配設される複数の前記画素と電気的に接続され且つ選択信号を供給することができる複数の第１の制御線と、
行方向に配設される複数の前記画素と電気的に接続され且つ制御信号を供給することができる複数の第２の制御線と、
列方向に配設される複数の前記画素と電気的に接続され且つ表示情報を含む表示信号を供給することができる複数の信号線と、
列方向に配設される複数の前記画素と電気的に接続され且つ第１の電源電位を供給することができる複数の第１の配線と、
列方向に配設される複数の前記画素と電気的に接続され且つ高電源電位に基づく電位を供給することができる複数の第２の配線と、
列方向に配設される複数の前記画素と電気的に接続され且つ第２の電源電位を供給することができる複数の第３の配線と、
前記第２の配線と電気的に接続され且つ高電源電位を供給され高電源電位に基づく電位および前記検知信号に基づいて検知情報を供給することができる変換回路と、
前記画素、第１の制御線、第２の制御線、信号線および第１の配線乃至第３の配線を支持する基材と、を有し、
前記画素は、
前記選択信号、前記制御信号および前記表示信号ならびに検知信号を供給され、前記検知信号に基づく電位または前記表示信号に基づく大きさの電流を供給することができる入出力回路と、
前記検知信号を供給することができる検知素子と、
前記電流を供給される表示素子と、を備え、
前記入出力回路は、
ゲートが前記選択信号を供給することができる第１の制御線と電気的に接続され、第１の電極が前記表示信号を供給することができる信号線と電気的に接続される第１のトランジスタと、
ゲートが前記制御信号を供給することができる第２の制御線と電気的に接続され、第１の電極が前記第１の配線と電気的に接続される第２のトランジスタと、
ゲートが前記第１のトランジスタの第２の電極と電気的に接続され、第１の電極が第２の配線と電気的に接続され、第２の電極が前記第２のトランジスタの第２の電極と電気的に接続される駆動トランジスタと、を備え、
前記変換回路は、
ゲートが高電源電位を供給することができる第５の配線と電気的に接続され、第１の電極が高電源電位を供給することができる第６の配線と電気的に接続され、第２の電極が前記第２の配線と電気的に接続されるトランジスタと、前記第２の配線と電気的に接続され且つ前記検知情報を供給することができる端子と、を備え、
前記検知素子は、第１の電極が前記第１のトランジスタの第２の電極と電気的に接続され、第２の電極が前記第２のトランジスタの第２の電極と電気的に接続され、
前記表示素子は、第１の電極が前記駆動トランジスタの第２の電極と電気的に接続され、第２の電極が第３の配線と電気的に接続される、入出力装置。
【請求項８】
マトリクス状に配設される複数の画素と、
行方向に配設される複数の前記画素と電気的に接続され且つ選択信号を供給することができる複数の第１の制御線と、
行方向に配設される複数の前記画素と電気的に接続され且つ第１の制御信号を供給することができる複数の第２の制御線と、
行方向に配設される複数の前記画素と電気的に接続され且つ第２の制御信号を供給することができる複数の第３の制御線と、
行方向に配設される複数の前記画素と電気的に接続され且つ第３の制御信号を供給することができる複数の第４の制御線と、
列方向に配設される複数の前記画素と電気的に接続され且つ表示情報を含む表示信号を供給することができる複数の信号線と、
列方向に配設される複数の前記画素と電気的に接続され且つ第１の電源電位を供給することができる複数の第１の配線と、
列方向に配設される複数の前記画素と電気的に接続され且つ高電源電位に基づく電位を供給することができる複数の第２の配線と、
列方向に配設される複数の前記画素と電気的に接続され且つ第２の電源電位を供給することができる複数の第３の配線と、
列方向に配設される複数の前記画素と電気的に接続され且つ第３の電源電位を供給することができる複数の第４の配線と、
前記第２の配線と電気的に接続され且つ高電源電位を供給され高電源電位に基づく電位および前記検知信号に基づいて検知情報を供給することができる変換回路と、
前記画素、前記第１の制御線乃至前記第４の制御線、前記信号線および前記第１の配線乃至前記第４の配線を支持する基材と、を有し、
前記画素は、
前記選択信号、前記第１の制御信号乃至前記第３の制御信号および前記表示信号ならびに検知信号を供給され、前記検知信号に基づく電位または前記表示信号に基づく電流を供給することができる入出力回路と、
前記検知信号を供給することができる検知素子と、
前記電流を供給される表示素子と、を備え、
前記入出力回路は、
ゲートが前記選択信号を供給することができる第１の制御線と電気的に接続され、第１の電極が前記表示信号を供給することができる信号線と電気的に接続される第１のトランジスタと、
ゲートが前記第１の制御信号を供給することができる第２の制御線と電気的に接続され、第１の電極が前記第１の配線と電気的に接続される第２のトランジスタと、
ゲートが前記第２の制御信号を供給することができる第３の制御線と電気的に接続され、第１の電極が前記第２のトランジスタの第２の電極と電気的に接続される第３のトランジスタと、
ゲートが前記第３の制御信号を供給することができる第４の制御線と電気的に接続され、第１の電極が前記第１のトランジスタの第２の電極と電気的に接続される第４のトランジスタと、
ゲートが前記選択信号を供給することができる第１の制御線と電気的に接続され、第１の電極が前記第４のトランジスタの第２の電極と電気的に接続され、第２の電極が第４の配線と電気的に接続される第５のトランジスタと、
ゲートが前記第４のトランジスタの第２の電極と電気的に接続され、第１の電極が第２の配線と電気的に接続され、第２の電極が前記第２のトランジスタの第２の電極と電気的に接続される駆動トランジスタと、を備え、
前記変換回路は、
ゲートが高電源電位を供給することができる第５の配線と電気的に接続され、第１の電極が高電源電位を供給することができる第６の配線と電気的に接続され、第２の電極が前記第２の配線と電気的に接続されるトランジスタと、前記第２の配線と電気的に接続され且つ前記検知情報を供給することができる端子と、を備え、
前記検知素子は、第１の電極が前記第１のトランジスタの第２の電極と電気的に接続され、第２の電極が前記第２のトランジスタの第２の電極と電気的に接続され、
前記表示素子は、第１の電極が前記第３のトランジスタの第２の電極と電気的に接続され、第２の電極が第３の配線と電気的に接続される、入出力装置。
【請求項９】
前記検知素子が、静電容量の変化に基づいて変化する電流を含む検知信号を供給する、請求項７または請求項８に記載の入出力装置。
【請求項１０】
前記表示素子が、第１の電極と、前記第１の電極に重なる第２の電極と、前記第１の電極ならびに前記第２の電極の間に発光性の有機化合物を含む層を備える請求項７乃至請求項９のいずれか一に記載の入出力装置。
【請求項１１】
前記変換回路が、前記基材に支持される請求項７乃至請求項１０のいずれか一に記載の入出力装置。